(57)【要約】      （修正有）【課題】メッシュ地を用いても屋外着用時での安全性に不可欠な高輝度を発揮でき、しかも、高価な高性能メッシュ地を用いても縫製手間を全廃して縫製コストが生じないようにした無縫製安全ベストを提供する。【解決手段】熱溶断可能な糸による編物で形成されたグランド部２と該グランド部で囲まれたメッシュホール部３と該メッシュホール部に配置された複数本の前記糸と同じ横断糸４とを備えて所定の破断強度を有し、かつ、所定の高輝度を発揮するように前記糸又は前記編物を染色して形成したメッシュ地１を熱溶断して形成した安全ベストの前身頃部材と後身頃部材と、前記前身頃部材と後身頃部材を連結または結合してベスト状に形成するための係止具とを備える。【選択図】図１
0003210734.tif 000002
【実用新案登録請求の範囲】
【請求項１】
熱溶断可能な糸による編物で形成されたグランド部と該グランド部で囲まれたメッシュホール部と該メッシュホール部に配置された複数本の前記糸と同じ横断糸とを備えて所定の破断強度を有し、かつ所定の高輝度を発揮するように前記糸又は前記編物を染色して形成したメッシュ地を熱溶断して形成した安全ベストの前身頃部材と後身頃部材と、前記前身頃部材と後身頃部材を連結または結合してベスト状に形成するための係止具を備えたことを特徴とする無縫製安全ベスト。
【請求項２】
前、後の身頃部材は、前記メッシュ地の原反からレーザー光等により熱溶断して切り出し形成した請求項１に記載の無縫製安全ベスト。
【請求項３】
熱溶断して切り出し形成された請求項２の前身頃部材と後身頃部材は、前記両身頃部材の胴部と肩部において、又は胴部のみにおいて、若しくは肩部のみにおいて、係止具で連結してベスト状に形成した請求項２に記載の無縫製安全ベスト。
【請求項４】
熱溶断してメッシュ地原反から切り出し形成される前身頃部材と後身頃部材とを、機械打ち込みするスナップボタンを係止具として連結し完全無縫製ベストに形成した請求項１〜３のいずれかに記載の無縫製安全ベスト。
【考案の詳細な説明】
【技術分野】
【０００１】
本考案は、ベスト本体を縫製しないで形成した安全ベストに関する。
本考案において縫製しない（無縫製）とは、安全ベストのベスト本体の形成に縫製を用いない趣旨であり、反射テープやポケット等の付属部材の取付けに縫製を用いることを排除する趣旨ではない。
【背景技術】
【０００２】
従来より様々な形態の安全ベストが提案され実際に使用されている。特に、道路上などの作業員が着用する安全ベストは、季節や時間帯に関係なく、作業時の着用が義務付けられている。
【０００３】
作業者用の安全ベストであるから、作業季節や作業時間帯と無関係に常に着用しなければならないが、夏場や気温、湿度がともに高い地域などでは、着用しただけで発汗するため、着用が忌避されることが多く安全上問題であった。
着用時の蒸れや発汗を抑えるため、メッシュ地で形成された安全ベストも存在するが、使用するメッシュ地の引張強度が不十分であるのみならず、ベスト本体が高輝度を発揮できない（視認性が低い）という問題があった。
【０００４】
ところで、本考案の出願人は、先に通気性を良好に保って高温、多湿時に着用しても通気性が良好なため発汗しにくく、しかも従来メッシュ地にはない強度を備えた安全ベストや作業服等に好適な高性能メッシュ地を特許文献1によって提案している。
本考案の出願人が提案したメッシュ地は、在来メッシュ地が備えていない通気性と生地強度とを同時に備えている素材であるため、夏場や梅雨時等のように高温多湿の環境下で着用する作業服等に好適な高性能素材である。
【０００５】
しかし、提案したメッシュ地は、従来品にない高い性能が付与されたので高価格になり、従って、安全ベストに適用すると高コストの過剰品質なものなるため、在来メッシュ地による安全ベストよりも高価格になってしまうという課題が生じた。
このため提案した上記メッシュ地は、安全ベスト用の素材としては、品質が過剰になること、及び安全ベストが高価格になることの両面において使用し難い素材とみられている。メッシュ地の語は、メッシュ編みされた生地の意味で使用している。
【０００６】
一方、一般的な公知メッシュ地により形成したメッシュ地製の安全ベストも市場に供給され、様々な現場で用いられているが、一般的な公知メッシュ地を用いて作られた安全ベストはベスト自体（再帰反射材を除く）が高視認性を発揮できない問題がある。すなわち、高視認性のメッシュ地製安全ベストは未だ存在しない。安全ベストの昼間の視認性は、ベスト本体を形成する高視認性素材、具体的には高輝度素材に依存しているが、従来メッシュ地では高輝度を得にくいからである。
【０００７】
従来メッシュ地製の安全ベストが高視認性を発揮できない理由は、メッシュ地を高輝度染料で染色した糸で編成したメッシュ地であっても、そのメッシュ地に存在するメッシュホールのため、照射される光源の光が強力であってもメッシュホールによって反射が弱くなり、外部から高輝度を視認することができないことによる。
【０００８】
しかるに、前記特許文献1のメッシュ地は、メッシュホールに複数本の横断糸が通されているので、高輝度染料で染色した糸で、当該特許文献1のメッシュ地を編成すると、そのメッシュ地は、実用面で十分な高輝度を発揮できることを考案者が実施した複数回の実験で確認した。
【０００９】
ところで、従来の安全ベストは、至って簡潔な形状ではあるが、ベストの前後の身頃形状に裁断された生地は、裁断縁の繊維のほつれを防ぐ必要がある。このため前記両身頃の外周形状や袖ぐり部の形状に沿ってテープ材等の縁材を配置し、配置されるすべての縁材を縫製により前後身頃の外周縁や袖ぐり部の形状に縫着しなければならないという加工手間が不可欠であり、この手間が、安全ベストの製造コストを押し上げる大きな要因になっている。
【００１０】
従って、生地単価が高額になるメッシュホールに複数本の横断糸を通して編成した高性能メッシュ地を用いて安全ベストを製造するとき、そのコスト、延いては市場価格を抑制するには、上記の縫製手間を省くことが、まず必要であると考えられる。
【先行技術文献】
【特許文献】
【００１１】
【特許文献１】特許第５４７８４０５号公報
【考案の概要】
【考案が解決しようとする課題】
【００１２】
そこで本考案は、メッシュ地であっても屋外着用時の安全性に不可欠な高輝度（高視認性）を発揮でき、しかも、高額の高性能メッシュ地を用いてもベスト本体の縫製手間を全廃して縫製コストが生じないようにした安全ベストを提供することを課題とする。
【課題を解決するための手段】
【００１３】
上記課題を解決することを目的としてなされた本考案安全ベストの構成は、熱溶断可能な糸による編物で形成されたグランド部と該グランド部で囲まれたメッシュホール部と該メッシュホール部に配置された複数本の前記糸と同じ横断糸とを備えて所定の破断強度を有し、かつ、所定の高輝度を発揮するように前記糸又は前記編物を高輝度染料で染色して形成したメッシュ地を熱溶断して形成した安全ベストの前身頃部材および後身頃部材と、前記前身頃部材と後身頃部材を連結または結合して無縫製でベスト状に形成するための係止具を備えたことを特徴とする。ここで、熱溶断はレーザー光で行うことが好ましいが、レーザー光以外に高周波や超音波を利用した熱溶断であってもよい。
【００１４】
本考案において前後の身頃部材は、ベスト状の肩部のみで連結する連結部（前後身頃の両脇部はもとより一体）を介してベスト状に形成したものであってよい。また、前後の身頃部材は、前記肩部での連結と前，後両身頃の両脇の境界部とで連結した連結部を介してベスト状に形成したもの、或いは、前，後両身頃の両脇の境界部のみで連結（肩部はもとより一体）する連結部を介してベスト状に形成したものであってよい。
【００１５】
本考案において、上記連結部は、テープ状の面ファスナや複数個を並べたスナップボタン等による長さや幅を調整できる大きさ調節用の係止具により形成するとよい。
【００１６】
本考案のメッシュ地における所定の破断強度は、２００ｍｍ×１００ｍｍの前記メッシュ地に、ＩＳＯ１３９３４−２：１９９９に定めるグラブ法の引張り試験を実行し、標準状態における各方向の破断強度が４００Ｎ以上、促進耐候暴露の各方向の破断強度が２６０Ｎ以上であることが好ましい。
【００１７】
また、望ましい高輝度は、目視により車両のライト、又は日光とベスト本体の色彩で、着用者の存在を周りの風景に埋没させることなく明確に確認できることである。
【考案の効果】
【００１８】
熱溶断できる糸による編物でメッシュホールに複数本の横断糸を通して高強度、高輝度に形成したメッシュ生地（高性能メッシュ地）を熱溶断して安全ベストの前，後身頃部材を形成し、この前，後身頃部材を係止具でベスト状に連結して無縫製の安全ベストとしたから、ベスト本体を無縫製の低コストで形成でき、メッシュ製安全ベストであっても高性能メッシュ地であるからベスト自体（再帰反射材を含まない）が望ましい高輝度を発揮することができる。
【図面の簡単な説明】
【００１９】
【図１】本考案安全ベストに用いる化繊糸で編成したメッシュホールに複数本の横断糸を有するメッシュ地の、レーザー光でカット（熱溶断）したカット縁の拡大平面図。
【図２】図１と同一のメッシュ地を刃物でカットしたカット縁の拡大平面図。
【図３】図１のメッシュ地で形成した本考案安全ベストの一例の展開状態の背面図。
【図４】図３の安全ベストの正面図。
【図５】図３の安全ベストにおける後身頃内面の正面図。
【００２０】
図１のメッシュ地について説明する。
図１のメッシュ地１は、丸編や経編などで編成され、グランド部２とメッシュホール部３と前記グランド部２から出て前記メッシュホール部３を横断するように配置された複数本の、図の例では3本の横断糸４を備えて形成されている。横断糸の本数は4本以上であってもよい。
【００２１】
上記メッシュ地1に用いられる糸は、一例としてポリエステルのような熱溶断可能な化学繊維により形成されたものである。すなわち、上記メッシュ地の例としては、見掛け番手がポリエステル２００dtx〜５６０dtxのポリエステルを含む繊維を、密度（本／インチ）がタテ２３〜２５コース、ヨコ１７〜１９ウェールのラッセル編を含む経編により編成したものを用いることができる。上記見掛け番手や密度の数値は一例であって、本考案では上記数値以外の数値を持つメッシュ地を用いることができることは勿論である。
【００２２】
また、前記段落００１９で説明したメッシュ地１は、２００mm×１００mmの大きさに減反から切り出した試験片を、ＩＳＯ１３９３４―２：１９９９に規定するグラブ法引張り試験による破断強度が標準状態の各方向の平均値が４００Ｎ以上、又は促進耐候曝露後の各方向の平均値が２６０Ｎ以上であるものが好ましいが、これらの破断強度の数値が上記例より小さいものであっても本考案安全ベストに用いることができる。
【００２３】
上記に説明した特性を備えたメッシュ地１は、熱溶断可能な化学繊維糸製であるから、レーザー光を用いてカットするとそのカット縁は、図１に拡大して例示したように、メッシュ地１を形成している線維が溶け、かつ溶ける繊維同士が溶着状態（溶着ラインＨＳ）になって切断される。よって、カット縁がほつれることはない。ほつれないカット縁は複数回の洗濯をしても殆んどほつれなかった。
ところが、同じメッシュ地１を刃物で切断すると、図２に示したように切断される繊維の切断コバが起毛状態ＫＭでバラバラになるため、メッシュ地１がカットされた縁からほつれてしまう。前記ほつれは洗濯前から生じており洗濯すると拡大する。
【００２４】
カットしてもカット部位の縁がほつれることのない本考案で用いる図１のメッシュ地１は、メッシュホール３に複数本（図１では３本）の横断糸４が通されている構造を有するから、当該メッシュ地１を、高輝度染料で先染めした糸を用いて編成するか、又は編成された前記メッシュ地１を前記高輝度染料で染色すると、安全ベストに要請される高輝度（高視認性）を発揮することができる。因みに、メッシュホールに横断糸を有しない在来メッシュ地では、染料に高輝度のものを用いても望ましい輝度を発揮できないことが、本出願人の輝度測定テストにより確認されている。
【００２５】
本考案では、以上に説明したメッシュ地１による原反から、レーザー光によって安全ベストの前後の身頃部材（図３〜図４参照）の形状の生地を切出す。すなわち、前合せに分割された左右の前身頃部材５Ｌ、５Ｒの形状、及び１枚の後身頃部材６の形状を、レーザー光により原反からカットして切出す。メッシュ地１の原反からレーザー光で、カットして切出された左右の前身頃部材５Ｌ、５Ｒと後身頃部材６は、そのカット線が溶着ラインＨＳとなって形成されるから、従来は裁断した輪郭に沿って縁テープ等を縫着していた縁処理が全く不要である。
【００２６】
外周縁（輪郭線）が溶着ラインＨＳで形成された左右の前身頃部材５Ｌ，５Ｒと後身頃部材６には、前後の身頃部材５Ｌ，５Ｒと６とを接続するため、胴部位の高さ方向の上、中、下の３段階に横方向に並んだ複数個の雌雄でペアとなるスナップボタンが、胴回り調整用の係止具７ａ，７ｂとして設けられている。前記係止具７ａ,７ｂとしては、スナップボタン以外の例えば面ファスナなどを用いることができる。
【００２７】
左右の前身頃部材５Ｌ，５Ｒの合わせ部の開閉用の係止具８ａ，８ｂとしてスナップボタンが用いられているが、この係止具８ａ，８ｂもスナップボタン以外の例えば、面ファスナやラインファスナを用いることができる。
【００２８】
本考案において係止具７ａ，７ｂ、８ａ，８ｂにスナップボタンを用いるのは、スナップボタンがボタン打設器のような機械的手段で自動取付けが可能であるから、本考案安全ベストＳＶの製造手間を省く目的に適合しているからである。
【００２９】
本考案安全ベストＳＶの前後の身頃部材５Ｌ，５Ｒと６の肩部は、図示しないが、テープ状の面ファスナやスナップボタンによる係止具によって結合されるように形成されている。図示しないが、前後身頃の肩部の高さ方向に複数段に配置した少なくとも2列の係止具（前記係止具７ａ，７ｂと同じもの）は、安全ベストの着丈を調整するための部材として設ける。
【００３０】
図３〜図５において、９，１０は本考案安全ベストＳＶの胴部や肩の前後面に配置したテープ状反射材である。反射材は再帰性反射材が望ましい。
【００３１】
以上により、無縫製で高輝度を発揮できるメッシュ地による本考案安全ベストＳＶの一例が形成される。本考案安全ベストＳＶの着用形態は公知安全ベストとほぼ同様であるが、着用者の身体の大きさ、例えば身丈や胴回りの大きさに合わせて、大きさ調整用の係止具７ａ，７ｂの適用位置を選択することにより、着用者の着丈や胴回りの大きさに容易かつ迅速に対応することができる。
【００３２】
また、本考案安全ベストＳＶは、高性能メッシュ地製で通気性良好であるから、高温多湿環境下においても好適に着用でき、また高輝度を発揮するから、屋外での着用者がよく目立つので安全上も好ましい。
本考案は以上の通りであるから、着用性、安全性とも高レベルのメッシュ地製安全ベストを低コストで提供することができる。
【符号の説明】
【００３３】
ＳＶ  本考案安全ベスト
１  メッシュ地
２  メッシュ地１のグランド部
３  メッシュホール部
４  横断糸
ＨＳ  溶着ライン
５Ｌ，５Ｒ  左右の前身頃部材
６  後身頃部材
７ａ，７ｂ  調節用の係止具
８ａ，８ｂ  開閉用の係止具
９，１０  反射材
【図１】
0003210734.tif 000003
【図２】
0003210734.tif 000004
【図３】
0003210734.tif 000005
【図４】
0003210734.tif 000006
【図５】
0003210734.tif 000007